(57)【要約】【課題】  遊技機の設定変更手段の不正行為を防止する。【解決手段】  スロットマシンに内蔵される電源ボックス２２の背面に設定変更ボタン３０を設け、電源ボックス２２に突条２６を設け、仕切り板１９にガイドレール２８を設ける。設定変更時には、前面扉を大きく開放し、電源ボックス２２を設定変更ボタン３０とボタン押圧板３１とが当接する押圧位置まで押し込む必要があり、その操作は周囲に目立ち、且つ、筐体の隙間から侵入できるような細い異物での設定変更ボタン３０の押圧操作は困難になる。また、適正な設定変更手順が行われたとき以外は、ソレノイド３４により電源ボックス２２が解除位置にてロックされるため、不正な設定変更の防止効果を高めることができる。【選択図】        図４
2006263236.tif 000002
【特許請求の範囲】
【請求項１】
遊技機の筐体の内部に遊技機の各部に給電を行う電源ボックスが収容され、前記筐体の前面扉を開放することによって前記電源ボックスが外部に露呈する遊技機において、
当たりの当選確率が互いに異なる複数の抽選テーブルの中から一つを選択するときに押圧される設定変更ボタンと、前記設定変更ボタンを押圧するためのボタン押圧部と、が互いに対向するように前記電源ボックスと前記筐体に設けられ、
前記ボタン押圧部と当接して前記設定変更ボタンが押圧される押圧位置と、前記ボタン押圧部から設定変更ボタンが離れその押圧が解除される解除位置との間で前記電源ボックスを移動自在に支持する電源ボックス支持手段と、
を備えたことを特徴とする遊技機。
【請求項２】
前記電源ボックスが前記押圧位置に向かって移動することを阻止するロック手段を備えたことを特徴とする請求項１記載の遊技機。
【発明の詳細な説明】
【技術分野】
【０００１】
本発明は、遊技中に電子的な抽選が行われる遊技機に関するもので、詳しくは電子的な抽選で用いられる抽選テーブルを変更する機能を備えたスロットマシンなどの遊技機に関するものである。
【背景技術】
【０００２】
パチンコ店で使用されるパチスロ機と称されるスロットマシンでは、遊技の過程で乱数を用いた電子抽選が行われ、この抽選で当たりになるか否かで獲得できるメダルの枚数が大きく左右される。電子抽選は、サンプリングされた乱数を抽選テーブルと対照し、その乱数の値がどのような当たりの数値範囲に属しているかで当たりの種類やハズレを決定している。そして、この電子抽選で決められた結果が反映されるようにリールの停止制御が行われるため、抽選テーブルがどのように設定されているかが遊技者側及びパチンコ店営業者側の双方にとって大きな影響をもっている。
【０００３】
こうした背景から、スロットマシンには大当りや小当たりなどの各種の当たりの当選確率が互いに異なる６種類程度の抽選テーブルが設けられ、営業者側では遊技性と営業利益とを考慮しながら適宜のものを選択できるようにしている。抽選テーブルの設定変更操作部は、一般にスロットマシンの筐体内に収容されている電源ボックスの前面に設けられており、営業者側では開店前に必要に応じて筐体の前面扉を開放し、電源ボックス前面の設定変更操作部を操作して抽選テーブルの設定変更を行っている。
【０００４】
ところで、スロットマシン筐体の前面扉は専用のキーを用いなければ開放することができず、また設定変更操作を進めるには電源ボックスの前面に設けられたキーシリンダをさらに別の専用キーで操作するという手順を要するため、本来、営業者側以外の者は行うことができない。ところが、これまででは設定変更操作部が電源ボックスの前面に設けられていることから、その構造に詳しい第三者が、前面扉が閉じられた状態で隙間から細線を差し込んで設定変更操作部にアクセスし、管理者側が設定した抽選テーブルよりも当たりの当選確率が高い抽選テーブルに変更するという不正が行われている。こうした不正に対処すべく、例えば特許文献１で知られるように、第三者による設定変更を禁止するような様々な工夫が考えられている。
【特許文献１】特開２００４−１３５８４３号公報
【発明の開示】
【発明が解決しようとする課題】
【０００５】
特許文献１記載のスロットマシンでは、設定変更が行われた時点で前面扉が閉じられたままであると異常な操作が行われたと判断している。したがって、前述したように前面扉の回りの隙間から細線を差し込んで設定変更を行うという不正を防ぐことができる。しかし不正行為を行う者の中には、強引な手段で前面扉のロックを解除し、合鍵を用いて前面扉を目立たない位置まで開き、その上で設定変更操作部を不正に操作して抽選テーブルを変更する者もある。また、前面扉を全開位置まで開かなければ設定変更ができないようにしたとしても、前面扉を一旦開いてしまえば全開検知用のスイッチに細工を施すことも困難ではないので、全開検知用のスイッチからは全開信号を出力させながらも前面扉はわずかに開いたままで設定変更操作部にアクセスすれば、周囲にあまり目立つことなく不正な設定変更が行われてしまう。
【０００６】
本発明は上記背景を考慮してなされたもので、設定変更を行うときには周囲に目立つような操作を伴わせることによって、管理者側以外の第三者が不正に設定変更操作を行うことを抑止できるようにした遊技機を提供することを目的とする。
【課題を解決するための手段】
【０００７】
本発明は上記目的を達成するために、電源ボックス自体を移動しなければ設定変更ボタンが押圧できないようにしたものである。このため、本発明ではボタン押圧部と設定変更ボタンが互いに向き合うように遊技機の筐体と電源ボックスに設けられ、さらに、電源ボックスを筐体内で移動自在に支持する電源ボックス支持手段が設けられている。電源ボックスを押圧位置に向かって移動すると、設定変更ボタンがボタン押圧部との当接により相対的に押し込まれ、また電源ボックスを解除位置に移動すると設定変更ボタンがボタン押圧部から離れてその押圧が解除される。したがって、電源ボックスを押圧位置と解除位置との間で移動する回数に応じて抽選テーブルの選択を行うことができる。さらに、適正な設定変更手順が行われたとき以外は、電源ボックスの移動を禁止するロック手段を作動させるようにしておけば、より確実に不正な設定変更を防ぐことが可能となる。
【発明の効果】
【０００８】
設定変更を行うときには電源ボックス自体を移動させなければならないから、前面扉の周囲の隙間から細線を挿入するなどの行為では設定変更ができなくなる。また、電源ボックスの移動のためには必然的に筐体の前面扉を大きく開放しなければならず、また電源ボックスを移動させる動作もかなり目立つことになるから、不正な設定変更操作の抑止効果を高めることができる。
【発明を実施するための最良の形態】
【０００９】
本発明を用いたスロットマシンの外観を示す図１において、スロットマシンの筐体３は主筐体５とその前面を覆う前面扉６とから構成されている。前面扉６は上扉７と下扉８とからなり、下扉８を開放するためには、下扉８に設けられているキーシリンダ９に専用キーを用いなければならない。また、下扉８を開放すると上扉７の下端側に突出しているロックレバーの先端が現れるようになっているから、下扉８を開放してからロックレバーを操作して上扉７が開放できるようになる。よく知られるように、主筐体５の内部には３個のリール及び各リールを回転するステッピングモータを含むリールユニット１０や、電子抽選を行ってその抽選結果に応じて各リールの回転及び停止制御を行う主制御基板、当たりになったときにメダルを払いだすホッパー装置などが格納されている。
【００１０】
上扉７にはリール観察窓が設けられ、遊技者はこの窓を通してリールユニット１０の３個のリールを部分的に観察することができる。また、リール観察窓の下方には、毎ゲームごとに遊技者がベットしたメダルの枚数を表示するベット枚数表示部、当たりが得られたときの払出しメダル枚数を表示する配当メダル枚数表示部、クレジットしたメダルの枚数を表示するクレジット枚数表示部などから構成される表示部１１が設けられている。下扉８には、メダルの投入口１３、ベットボタン１４、リールごとに対応したストップボタン１５、スタートレバー１６が設けられ、また下部にはメダル受皿１７が設けられている。
【００１１】
投入口１３から１〜３枚のメダルを投入し、あるいはベットボタン１４を操作してクレジットされたメダルの中から３枚のメダルをベットした後、スタートレバー１６を操作するとその時点で電子抽選が行われ、当たりの種類あるいはハズレが決められる。そして、一斉に３個のリールが回転を開始し、遊技者は任意のタイミングでストップボタン１５を順に操作することによって、対応するリールを停止させることができる。ただし、すでに電子抽選によって当たりの種類あるいはハズレが決められているので、ストップボタン１５の操作によってリールの停止制御が開始されるが、基本的には電子抽選の結果が反映されるようにリールの停止制御が行われる。そして、当たりになった場合にはメダル受皿１７に当たりの種類に応じた枚数のメダルが払いだされる。
【００１２】
図２に上扉７及び下扉８をそれぞれヒンジ部分から分離した状態を示す。主筐体５の内部は仕切り板１８，１９で区画され、区画されたそれぞれの領域にリールユニット１０、電源ボックス２２、ホッパー装置２３が収納されている。なお、電子抽選やリールの停止制御を行う主制御基板は、不正行為がしにくいように、封印機能をもった基板ケースに収納した上で主筐体５の最上段の奥に収められている。そして、上扉７を閉じると仕切り板１８の上方にあるリールユニット１０や主制御基板などが覆われる。また、下扉８を閉じると、仕切り板１８の下側にある電源ボックス２２やホッパー装置２３などが覆われる。
【００１３】
電源ボックス２２にはトランスや定電圧回路などが組み込まれ、外部電源からの電源供給を受けてスロットマシンの各部、例えばリールユニット１０、主制御基板、ホッパー装置２３、各種表示部を駆動するための表示回路などのそれぞれに規定の電圧で給電を行う。さらに、この電源ボックス２２には遊技中の電子抽選で用いられる抽選テーブルを設定し、また変更するための回路ユニットも組み込まれ、詳しくは後述するように、この電源ボックス２２に設けられた設定変更操作部からの入力により抽選テーブルの設定変更を行うことができるようになっている。
【００１４】
図３に示すように、電源ボックス２２の底面には、前面から奥行き方向の中間程度まで延びた一対の突条２６，２６が設けられ、仕切り板１９の上面には主筐体５の背面板２７に向かって延びた一対のガイドレール２８，２８が設けられている。突条２６，２６をガイドレール２８，２８に嵌め込むことによって、これらは電源ボックス２２を移動自在に支持する支持手段を構成する。電源ボックス２２が必要以上に押し込まれることがないように、背面板２７には電源ボックス２２の移動を制限するゴム板製のストッパ２９が固定されている。また背面板２７には、電源ボックス２２が押し込まれたときに、電源ボックス２２の背面に突出して設けられた設定変更ボタン３０に当接してこれを押圧するボタン押圧板３１が固定されている。更に、片端が電源ボックス２２の背面に固着され、他端が背面板２７に固着されたバネ３２は、電源ボックス２２が押し込まれると、ボタン押圧板３１から設定変更ボタン３０が離れる解除位置へ戻すはたらきをする。なお、ガイドレール２８，２８に電源ボックス２２を移動自在に嵌め込んだ後、ガイドレール２８，２８の前面を塞ぐようにストッパプレート３３が固着され、電源ボックス２２が必要以上に前方に突出することを防いでいる。
【００１５】
ガイドレール２８，２８のそれぞれの外側に位置するように、仕切り板１９にソレノイド３４，３４が固定されている。ソレノイド３４に駆動電流が供給されると、図示の突出位置にあるロックピン３４ａが中に引き込まれ、駆動電流の供給が絶たれるとソレノイド３４に内装したバネの付勢によりロックピン３４ａが図示のロック位置に突出する。これらのロックピン３４ａが突出して電源ボックス２２の側面に形成された穴３５に係合すると、電源ボックス２２の移動が禁止される。また、ソレノイド３４と穴３５は、電源ボックス２２の前面がストッパプレート３３に突き当たったときに互いに係合できるような位置に設けられている。
【００１６】
電源ボックス２２の前面には、電源スイッチ３６のほかにキーシリンダ３７が設けられている。電源スイッチ３６は、スロットマシンのメンテナンスを行うときや、故障が発生したときの復旧作業を行うとき等にオフ操作されるだけでなく、遊技中の電子抽選で用いる抽選テーブルを変更するときの準備操作として、キーシリンダ３７とともに用いられる。キーシリンダ３７は専用のモード切替えキー３８を挿入することによってオフ位置とオン位置との間で回転操作することができる。そして、この準備操作の後に、電源ボックス２２の背面に設けられた設定変更ボタン３０が押圧されたとき、その押圧回数に応じて６種類の抽選テーブルの中からその一つが選択される。
【００１７】
次に、本発明の作用について説明する。抽選テーブルの設定変更を行う場合には、まず専用のキーで解錠を行って下扉８を開放する。次に、電源ボックス２２の前面にある電源スイッチ３６のオフ操作後、モード切替えキー３８を用いてキーシリンダ３７をオフ位置からオン位置に回動させて、電源スイッチ３６をオン操作し、スロットマシンの電源を再投入する。スロットマシンの電源再投入後には、上扉７の表示部１１に現在の設定値が表示され、筐体内部では、図４（ａ）に示すように、ロックピン３４ａが中に引き込まれ電源ボックス２２はガイドレール２８上を移動自在になり、設定変更の待機状態となる。
【００１８】
設定変更を行うには、前述したように、電源ボックス２２を押し込むことで、電源ボックス２２の背面に設けられた設定変更ボタン３０を押圧しなければならない。図４（ｂ）は、電源ボックス２２が押圧位置まで押し込まれ、設定変更ボタン３０がボタン押圧板３１により押圧されている状態を示す。また、電源ボックス２２を押圧位置まで押し込んだ後、電源ボックス２２への負荷を取り除くと、電源ボックス２２はバネ３２により解除位置へと押し戻され、図４（ａ）のように、電源ボックス２２の前面がストッパプレート３３に突き当たった位置で止まる。このように、電源ボックス２２を解除位置から押圧位置への移動操作と、押圧位置から解除位置への移動操作と、を繰り返し行うことで、現時点の設定値から「１」ずつ上がり、その様子を表示部１１で確認することができるから、所望の設定値になった時点でスタートレバー１６を押下すれば所望の設定値に確定する。なお、設定値が「６」のときに設定変更ボタン３０が押下されると、設定値が「１」に戻るので、待機状態下では任意の設定値に変更することができる。
【００１９】
設定値の確定後、電源ボックス２２の前面がストッパプレート３３に突き当たっていることを確認した後、モード切替えキー３８の操作によりキーシリンダ３７をオフ位置にすると、ロックピン３４ａが電源ボックス２２の穴３５に係合し、電源ボックス２２が移動不可になり、設定変更の待機状態から遊技可能の状態に遷移する。その後、モード切替えキー３８を引き抜き、前面扉６を閉じることで設定変更の操作が完了する。
【００２０】
以上のように、本発明のスロットマシンでは、設定変更ボタン３０が電源ボックス２２の背面に実装され、背面板２７にボタン押圧板３１が設けられ、また、電源ボックス２２を筐体内で移動自在に支持するための突条２６とガイドレール２８とで構成される支持手段が設けられており、これらを用いて電源ボックス２２の押圧位置と解除位置との間で移動する回数に応じて設定値の選択を行うことができる。このため、設定変更時には、前面扉６を大きく開放させ、且つ、電源ボックス２２自体を移動させる必要があるため、設定変更の操作を周囲に目立たないようにするのは困難であり、その結果、設定値の不正操作の防止効果を高めることができると同時に、筐体の隙間などから侵入できるような細い異物による設定値の不正操作を防ぐことができる。さらに、電源ボックス２２の移動を禁止するロック手段を作動させるようにしておけば、より確実に不正な設定変更を防ぐことが可能となる。
【００２１】
上記実施例では、電源ボックス２２に１つの設定変更ボタン３０を実装したが、これに限らず、２つないし３つなどの複数の設定変更ボタンを実装することで、不正な設定変更の防止効果が更に向上する。例えば、全ての設定変更ボタンを同時に押下されたときに初めて設定変更機能が作動する、などのような条件を予め設定しておくことで、不正な設定変更の防止効果が向上する。
【００２２】
上記実施例では、設定変更ボタン３０を電源ボックス２２の背面に設けるという表現にとどめ、それ以上規定しなかったが、例えば、電源ボックス２２の背面のバネ３２の中に収納されるような位置に設定変更ボタン３０を実装することで、バネ３２が外部からの小さな異物にとっての障壁となり、設定変更ボタン３０の不正な設定変更の防止効果が向上する。
【００２３】
上記実施例では、電源ボックス２２の背面に設定変更ボタン３０を設けたが、これに限らず、背面板２７上に設定変更ボタン３０を実装し、電源ボックス２２の背面をボタン押圧板３１としてもよい。また、電源ボックス２２の背面と背面板２７に２つの接点を、電源ボックス２２が押圧位置にあるときは接点が互いに接触し、解除位置にあるときは非接触になるような位置に設けることで、同様の効果を得ることができる。
【００２４】
上記実施例では、付勢部材としてバネ３２を用いたが、これに限らず、電源ボックス２２を押圧位置から解除位置へ戻すことができる他の付勢部材でも、上記実施例と同様の効果が得られる。
【００２５】
上記実施例では、ボタン押圧部をボタン押圧板３１としたが、これに限らず、ボタン押圧部を背面板２７としても、上記実施例と同様の効果が得られる。
【００２６】
上記実施例では、電源ボックス２２を前面から後方へ押し込むことで設定変更ボタン３０を押圧させたが、これに限らず、電源ボックス２２を別の方向へ移動させることで設定変更ボタン３０を押圧させてもよい。例えば、電源ボックス２２をスロットマシン正面から見て左へ移動させることで設定変更ボタン３０を押圧させる場合、少なくとも、設定変更ボタン３０を電源ボックス２２の左側面に設け、ボタン押圧板３１を左側側板の内面に設け、電源ボックス２２の支持手段である突条２６、ガイドレール２８を背面版２７に平行になるように設ける必要がある。更に、バネ３２、ロック手段であるソレノイド３４と穴３５、部品を保護するためのストッパ２９とストッパプレート３３を適正な位置に設けることで、上記実施例と同様の効果を得ることができる。つまり、電源ボックス２２の移動で設定変更ボタン３０が押圧されるという条件を満たすように各部品を適正な位置に設けることが必要になる。ただし、設定変更ボタン３０の実装箇所は、前扉６を開放した状態で正面から容易に見つからない箇所にする必要がある。
【図面の簡単な説明】
【００２７】
【図１】本発明の実施形態であるスロットマシンの外観を示す斜視図である。
【図２】スロットマシンの分解斜視図である。
【図３】電源ボックスと設定変更ボタン、支持手段、及び、ロック手段の構成を示す斜視図である。
【図４】（ａ）キーシリンダがオフ位置からオン位置に切り替わり、電源ボックスがソレノイドのロックから開放され、バネにより前面のストッパプレートにより突き当たっている状態を示す平面図である。（ｂ）キーシリンダがオン位置にあり、電源ボックスが押圧位置まで押し込まれ、設定変更ボタンがボタン押圧板により押圧されている状態を示す平面図である。
【符号の説明】
【００２８】
３    筐体
５    主筐体
６    前面扉
７    上扉
８    下扉
１０    リールユニット
１１    表示部
１３    投入口
１４    ベットボタン
１５    ストップボタン
１６    スタートレバー
１７    メダル受け皿
１８    仕切り板
１９    仕切り板
２２    電源ボックス
２３    ホッパー装置
２６    突条
２７    背面版
２８    ガイドレール
２９    ストッパ
３０    設定変更ボタン
３１    ボタン押圧板
３２    バネ
３３    ストッパプレート
３４    ソレノイド
３４ａ  ロックピン
３５    穴
３６    電源スイッチ
３７    キーシリンダ
３８    モード切替えキー
【図１】
2006263236.tif 000003
【図２】
2006263236.tif 000004
【図３】
2006263236.tif 000005
【図４】
2006263236.tif 000006